(57)【要約】  本発明は、光出射窓１１２を備える長尺のハウジング１１０、複数のＳＳＬ素子１２２を備える上記ハウジング内の担体アセンブリ１２０、及び上記ハウジングと上記担体アセンブリとの間の反射器１３０を有する照明装置１００を提供する。反射器１３０は複数の開口１３２を有している。これら開口は、上記ハウジングと上記担体アセンブリとの間にある。接着剤１４０は上記反射器を上記ハウジングに付着させる一方、上記開口を介して広がり、上記担体アセンブリをハウジングに付着させる。このような照明装置は、特に費用効果的な態様で組み立てることができる。斯かる照明装置を組み立てる方法及び斯かる照明装置を有する照明器具も提供される。
2017520898.tif 000002
【特許請求の範囲】
【請求項１】
光出射窓を有する長尺のハウジングと、
複数の固体照明（ＳＳＬ）素子を有する、前記ハウジング内の担体アセンブリと、
前記ハウジングと前記担体アセンブリとの間に複数の開口を有する、前記ハウジングと前記担体アセンブリとの間の反射器と、
前記反射器を前記ハウジングに付着させる接着剤であって、前記開口を介して広がり前記担体アセンブリを前記ハウジングに更に付着させる接着剤と、
を有する、照明装置。
【請求項２】
前記ハウジングがガラス製である、請求項１に記載の照明装置。
【請求項３】
前記反射器が前記ＳＳＬ素子により放出される光を第１範囲内の放出角で反射するように寸法決めされる、請求項１又は請求項２に記載の照明装置。
【請求項４】
前記第１範囲が１００°以上である、請求項３に記載の照明装置。
【請求項５】
前記複数の開口の各々が、長方形、正方形又は円形の規則的形状を有する、請求項１ないし４の何れか一項に記載の照明装置。
【請求項６】
前記複数の開口が規則的なアレイを形成する、請求項５に記載の照明装置。
【請求項７】
前記反射器が箔又は紙である、請求項１ないし６の何れか一項に記載の照明装置。
【請求項８】
前記反射器がプラスチック材料を有する、請求項１ないし６の何れか一項に記載の照明装置。
【請求項９】
前記反射器がシート状金属を有する、請求項１ないし６の何れか一項に記載の照明装置。
【請求項１０】
前記反射器が反射性コーティングを有する、請求項１ないし９の何れか一項に記載の照明装置。
【請求項１１】
前記担体アセンブリの少なくとも一部分が前記ハウジングの内側表面に合致するように成形される、請求項１ないし１０の何れか一項に記載の照明装置。
【請求項１２】
前記担体アセンブリがＰＣＢ及び／又はヒートシンクを有する、請求項１ないし１１の何れか一項に記載の照明装置。
【請求項１３】
照明装置を組み立てる方法であって、
複数のＳＳＬ素子を有する担体アセンブリを設けるステップと、
複数の開口を有する反射器を設けるステップと、
前記担体アセンブリ及び／又は前記反射器に接着剤を塗布するステップと、
前記担体アセンブリ及びハウジングを押し合わせて前記担体アセンブリ及び前記反射器を前記ハウジングに付着させるステップと、
を有し、
前記反射器は前記担体アセンブリと前記ハウジングとの間にあり、
前記反射器の前記開口は前記ハウジングと前記担体アセンブリとの間にあり、
前記接着剤は前記開口を介して押し出され、前記担体アセンブリを前記ハウジングに付着させる、
方法。
【請求項１４】
前記接着剤が塗布される前に前記反射器が前記担体アセンブリ上に配置される、請求項１３に記載の方法。
【請求項１５】
請求項１ないし１２の何れか一項に記載の照明装置を有する、照明器具。
【発明の詳細な説明】
【技術分野】
【０００１】
本発明は、照明装置、特には固体照明（ＳＳＬ）素子を有する照明装置に関する。また、本発明は斯かる照明装置を組み立てる方法及び斯かる照明装置を有する照明器具にも関する。
【背景技術】
【０００２】
絶え間なく増加する人口により、世界的エネルギ需要を満たすと同時に、地球温暖化現象の原因と考えられる温室効果ガス放出を抑制するために炭素放出を制御することは益々困難となってきている。これらの問題は、エネルギ消費を低減するために電気の一層効率的な使用に向かう傾向を引き起こしている。
【０００３】
１つの斯様な関心分野は、家庭用又は商業用設備のいずれにもおける照明アプリケーションである。白熱又は蛍光電球等の伝統的な相対的にエネルギ非効率的な電球の一層エネルギ効率的な置換物による置換に向かう明らかな傾向が存在する。確かなことに、多くの管轄区域において白熱電球の製造及び販売は非合法化され、かくして、例えば白熱電球を交換する際に、消費者にエネルギ効率的代替品を購入するようにさせている。
【０００４】
特に有望な代替品は固体照明（ＳＳＬ）装置により提供され、該代替品は白熱又は蛍光電球のエネルギコストの僅かな割合で同等の光出力を発生することができる。このようなＳＳＬ素子の一例は発光ダイオード（ＬＥＤ）である。
【０００５】
蛍光管と同様の全体的形状を有するＳＳＬ照明装置、即ち管状固体照明装置を提供することは知られている。このような装置は伝統的な照明装置と互換性のあるフォームファクタを提供することができ、このことは、消費者が上記のような蛍光管のフォームファクタを好む又は斯かるフォームファクタに慣れている故に市場参入を促進し得る。これらの管状ＳＳＬ装置は、蛍光管を置換するために使用され得るか、又は蛍光管と同様のアプリケーションにおいて使用され得る。特に、これらのＳＳＬ照明装置は蛍光管の代わりに容易に改良置換することができる。
【０００６】
従来の管状ＳＳＬ素子照明装置の一例は管状ハウジングを有し、該管状ハウジング内には複数のＬＥＤ素子が規則的間隔で取り付けられた印刷回路基板が存在する。この既知の低コスト構成において、印刷回路基板（ＰＣＢ）は接着剤を用いて管状ハウジングに直に取り付けられる。しかしながら、この結果、ビーム角は非常に広くなり、このことは望ましくない。斯かるＰＣＢと管状本体との間にビーム整形のための金属反射器を設けることも知られているが、この反射器のコストは高くなり得ると共に、斯かる照明装置の組み立ての複雑が増し、この結果、全体として一層高価な装置となる。
【発明の概要】
【発明が解決しようとする課題】
【０００７】
本発明は、狭いビームを有し得ると共に、簡単に、従って費用効果的に組み立てることができる照明装置を提供しようとするものである。
【課題を解決するための手段】
【０００８】
本発明は、光出射窓を有する長尺のハウジングと；複数のＳＳＬ素子を有する、前記ハウジング内の担体アセンブリと；前記ハウジングと前記担体アセンブリとの間に複数の開口を有する、前記ハウジングと前記担体アセンブリとの間の反射器と；前記反射器を前記ハウジングに付着（固定）させる接着剤であって、前記開口を介して広がり前記担体アセンブリを前記ハウジングに更に付着させる接着剤と；を有する照明装置を提供する。
【０００９】
このような照明装置は、相対的に経済的に組み立てることができる。特に、このような照明装置を組み立てる際に、接着剤を担体アセンブリ及び反射器に別々に塗布する必要がなく、従って、斯かる組み立てに要する工程数を低減することができる。このような利点は、自動化された製造工程を用いても得ることができる。これらの要因の結果として、当該照明装置は特別に経済的に提供することができる。
【００１０】
更に、当該装置は伝統的な蛍光管と互換性のあるフォームファクタを有することができ、このことは市場参入を促進することができる。例えば、当該照明装置は管状の細長いハウジングを有する管状照明装置とすることができる。
【００１１】
前記ハウジングはガラス製とすることができる。ガラス製ハウジングの使用は、特に経済的であり得る。更に、ガラス製ハウジングは、或る程度の長さの照明装置の作製を斯かるガラス製ハウジング以外の追加の構造的エレメントを必要とせずに可能にするほど十分な剛性を提供し得る。更に、ガラスは当該照明装置の分野で作業する者にとり慣れた技術を用いて扱うことができる。
【００１２】
前記反射器は、前記ＳＳＬ素子により放出される光を第１範囲内の放出角で反射するように寸法決めすることができる。
【００１３】
従って、光は上記第１範囲内では当該照明装置から直接的に出射することはなく、代わりに光は反射される。このことは、相対的に狭いビームを持つ照明装置を提供することができる。狭いビームを持つ照明装置は、特定の照明アプリケーションにおいて有利であり得る。更に、ＳＳＬ素子により放出される光の大部分を所望の領域又は位置に供給することができるので、当該照明装置の有効発光効率を増加させることができる。
【００１４】
前記第１範囲は１００°以上とすることができる。例えば、１００°、１２０°、１４０°、１６０°、１８０°、２００°、２２０°又はそれ以上である。
【００１５】
このことは、２６０以下のビーム角を提供することができる。例えば、２６０°未満、２４０°未満、２２０°未満、２００°未満、１８０°未満、１６０°未満、又は１４０°未満等のビーム角である。
【００１６】
前記複数の開口の各々は、例えば長方形、正方形又は円形等の規則的形状を有することができる。このことは、ハウジングに対する担体アセンブリの事前に分かる（例えば、良好な）品質の取り付けをもたらす助けとなり得る。更に、このことは、反射器に対して事前に分かる（例えば、相対的に大きな）構造的完全さもたらす助けとなり得る。
【００１７】
前記複数の開口は、規則的なアレイを形成することができる。このことは、ハウジングに対する担体アセンブリの事前に分かる品質の取り付けをもたらす、及び／又は反射器に対して事前に分かる構造的完全さもたらす助けとなり得る。
【００１８】
前記反射器は、箔又は紙とすることができる。このような反射器は、特に経済的であり得る。
【００１９】
前記反射器はプラスチック材料を有することができる。
【００２０】
前記反射器はシート状金属を有することができる。
【００２１】
前記反射器は反射性コーティングを有することができる。例えば、該反射器は反射性コーティングにより被覆された、反射性でないプラスチック材料を有することができる。
【００２２】
前記担体アセンブリの少なくとも一部分は、前記ハウジングの内側表面に合致するように成形することができる。このことは、該担体アセンブリがハウジングの内側表面に対して特別に良好な付着（接着）を有することを可能にすることができる。更に、このことは接着剤の経済的な使用を可能にすることができる。
【００２３】
前記反射器の少なくとも一部分は、前記反射器の内側表面に合致するように成形することができる。例えば、前記反射器は、当該照明装置が組み立てられる際に、前記反射器の内側表面及び前記担体アセンブリの一部分により成形することができる。このことは、反射器及び担体アセンブリのハウジングに対する特別に良好な取り付けを可能にし得る。更に、このことは接着剤の経済的な使用も可能にすることができる。
【００２４】
前記担体アセンブリは、印刷回路基板（ＰＣＢ）及び／又はヒートシンクを有することができる。例えば、前記担体アセンブリをＰＣＢとすることができるか、又は該担体アセンブリをヒートシンク上に取り付けられたＰＣＢとすることができる。
【００２５】
本発明は照明装置を組み立てる方法も提供し、該方法は、複数のＳＳＬ素子を有する担体アセンブリを設けるステップと；複数の開口を有する反射器を設けるステップと；前記担体アセンブリ及び／又は前記反射器に接着剤を塗布するステップと；前記担体アセンブリ及びハウジングを押し合わせて前記担体アセンブリ及び前記反射器を前記ハウジングに付着させる（固定する）ステップと；を有し、その場合において、前記反射器は前記担体アセンブリと前記ハウジングとの間にあり、前記反射器の開口は前記ハウジングと前記担体アセンブリとの間にあり、前記接着剤は前記開口を介して押し出され、前記担体アセンブリを前記ハウジングに付着させる。
【００２６】
前述したように、前記照明装置に関して、斯かる方法は実行するのが特に簡単且つ容易であり、結果として該方法は照明装置を費用効果的に提供することができる。特に、担体アセンブリ及び反射器に対して接着剤を別々に塗布する必要がないので、組み立て工程の数を低減することができる。この利点は自動化された製造工程を用いて得ることもでき、更に、本方法は余り複雑でないので、容易に自動化することができる。より容易な自動化は、自動化に要する機械の費用の低減、従って本方法により提供される照明装置のコストの低減を可能にし得る。
【００２７】
前記反射器は、前記接着剤が塗布される前に前記担体アセンブリ上に配置することができる。このことは、接着剤が反射器及び担体アセンブリに同時に塗布されることを可能にする。何故なら、該接着剤は反射器の開口を介して担体アセンブリに塗布され得るからである。このことは、照明装置を組み立てる本方法の更なる簡素化を可能にし、従って、特別に経済的である。
【００２８】
本発明は、前述したような照明装置を有する照明器具も提供する。前述したように、前記照明装置は特に費用効果的に設けることができるので、斯かる照明装置を有する該照明器具も特別に費用効果的に設けることができる。
【００２９】
本発明の実施態様は、添付図面を参照して、限定するものでない例として更に詳細に説明される。
【図面の簡単な説明】
【００３０】
【図１】図１は、本発明の一実施態様による部分的に組み立てられた照明装置の概略断面図を示す。
【図２】図２は、図１の組み立てられた照明装置の概略断面図を示す。
【図３】図３は、図１の照明装置の反射器の概略平面図を示す。
【図４】図４は、本発明の他の実施態様による部分的に組み立てられた照明装置の概略断面図を示す。
【図５】図５は、図４の組み立てられた照明装置の概略断面図を示す。
【図６】図６は、本発明の一実施態様による照明器具の概略断面図を示す。
【発明を実施するための形態】
【００３１】
各図は、概略的なものに過ぎず、実寸通りではないと理解されたい。また、同様の符号は各図を通して同一又は同様の部分を示すために使用されていると理解されたい。
【００３２】
本発明の実施態様は、ＳＳＬ素子に基づく照明器具に関するものである。該ＳＳＬ素子照明装置を設ける際の改善のために確認される分野は、製造の容易さである。特に、製造するのが一層容易なＳＳＬ素子照明装置を提供することにより、一層費用効果的なＳＳＬ装置を提供することが望まれる。
【００３３】
添付図面の図１を先ず参照すると、部分的に組み立てられた照明装置１００は、光出射窓１１２を備えた長尺ハウジング１１０（長軸に垂直な断面で示されている）を有していることが分かる。ハウジング１１０内には、複数の固体照明（ＳＳＬ）素子１２２を有する担体アセンブリ１２０が存在する。また、ハウジング１１０と担体アセンブリ１２０との間には反射器１３０が存在する。反射器１３０は、ハウジング１１０と担体アセンブリ１３０との間に複数の開口１３２（図３に示されている）を有している。反射器１３０をハウジング１１０に固定するために接着剤１４０が設けられる。また、該接着剤１４０は、担体アセンブリ１２０をハウジング１１０に固定するために上記開口１３２を経て広がる。
【００３４】
図２は、図１の部分的に組み立てられた照明装置１００を組み立て状態で示す。接着剤１４０が反射器１３０の開口１３２を介して広がることにより反射器１３０をハウジング１１０に付着させると共に担体アセンブリ１２０をハウジング１１０に付着させるために、担体アセンブリ１２０及びハウジング１１０が押し合わされていることが分かる。
【００３５】
従って、このような照明装置１００は相対的に費用効果的に組み立てることができる。特に、担体アセンブリ１２０及び反射器１３０をハウジング１１０に対して簡単な態様で付着させることができる。特に、担体アセンブリ１２０及び反射器１３０に対して接着剤１４０を別々に塗布する必要がなく、結果として、照明装置１００の組み立てに必要とされる工程数が潜在的に減少する。従って、照明装置１００を組み立てる費用、従って照明装置１００自体の費用を低減することができる。組み立てに要する工程数の低減は、照明装置１００が大量生産される場合、利点を複数回にわたり得ることができるので、特に有利である。同様に、このような利点は照明装置１００が自動化工程を用いて製造される場合に特に顕著であり得る。というのは、照明装置１００の組み立てに要する工程数を低減させることに加えて、当該照明装置を組み立てるために使用される機械の複雑さも低減され得るからである。
【００３６】
ハウジングと担体アセンブリとの間に反射器を取り付けることは従来技術から知られているが、この取り付けは、担体アセンブリを反射器に付着させ、該担体アセンブリ及び反射器を、別途、ハウジングに付着させることにより実施されていた。このような工程は、２対の部品に接着剤を塗布すると共に付着させることを含むので、一層複雑である。
【００３７】
前記接着剤１４０は、担体アセンブリ１２０、反射器１３０及びハウジング１１０を互いに付着させることができる任意の好適な接着剤とすることができる。例えば、エポキシ又はホットメルト接着剤等である。他の例も当業者にとり明らかであろう。
【００３８】
本明細書のコンテキストにおいて、接着剤１４０が開口１３２を介して広がるという事実は、開口１３２が接着剤により完全に満たされるということを必ずしも意味するものではない。例えば、接着剤が開口１３２内に存在しないような空隙が存在してもよい。しかしながら、接着剤は開口１３２を確かに完全に満たすこともできる。
【００３９】
選択された実施態様において、前記固体照明（ＳＳＬ）素子１２２は発光ダイオード（ＬＥＤ）とすることができる。これらＳＳＬ素子１２２の各々は、同一のカラーの光を放出することができる。代わりに、ＳＳＬ素子１２２は、当業者により既知のように、所望の効果をもたらすために異なるカラーの光を放出するように構成することもできる。例えば、このようなカラーは当該ハウジング内で混合され、所望のカラーの光出力を生じることができる。
【００４０】
ハウジング１１０は、任意の好適な寸法及び形状を有することができる。例えば、ハウジング１１０は蛍光管を置換するために使用されるように寸法決め及び成形することができ、このことは市場参入を助け得る。例えば、当該照明装置は管状のハウジングを有する管状照明装置とすることができる。
【００４１】
ハウジング１１０はガラス製とすることができる。ガラスは相対的に安価に入手可能な材料である。特に、ガラス管状体は、プラスチック管状体よりも低いコストで得ることができる。幾つかの場合において、ガラス管状体は、同等のプラスチック管状体の価格の十分の一程度低い価格であり得る。
【００４２】
更に、ガラスハウジングは、多少の長さの照明装置の製造を、斯かるガラスハウジング以外の追加の構造的要素を要せずに可能にするほど十分な剛性を提供し得る。更に、ガラスは照明装置の分野で働く者に馴染みのある技術を用いて取り扱うことができる。
【００４３】
他の利点は、ガラスが多くのプラスチック材料よりも良好な熱放散能力を有し得ることである。従って、ガラスハウジング１１０は、使用時のＳＳＬ素子１２２の温度を調整するために使用されるヒートシンクの少なくとも一部を形成することができる。従って、ガラスハウジング１１０の使用は、別のヒートシンクを設ける必要がないということを意味し得る。他の例として、別途のヒートシンクが設けられる場合、該ヒートシンクは、ガラスハウジングが多くのプラスチックよりも一層良好に熱放散に加わるので一層小さくすることができる。別体のヒートシンクの省略は、当該照明装置の組み立てを一層簡単且つ経済的にさせることができる一方、より小さなヒートシンクの使用は一層経済的であり得る。
【００４４】
更に、特定の長さを超えるプラスチックハウジングの使用は、当該プラスチック管状体を曲がる又は撓むことから防止するために追加の構造的要素の使用を必要とし得る。しかしながら、ガラス材料は一般的にプラスチック材料よりも可撓的でないので、上述した特定の長さより長い照明装置にとり撓みを防止するための追加の構造的要素は必要とされないであろう。更に、上述した様な担体アセンブリ及び反射器の固定は、実質的な構造的要素を必ずしも必要としない。従って、上述した様に担体アセンブリ及び反射器を固定することとガラスハウジングの使用との組み合わせを、この構造及び材料の組み合わせが特別に簡単であると共に、上述した特定の長さより長い照明装置に対してさえも追加の構造的要素が必要とされないとい点で、特に有利に用いることができる。従って、この組み合わせは特に経済的又は費用効果的であり得る。
【００４５】
反射器１３０は、ＳＳＬ素子１２２により放出される光を第１範囲内の放出角で反射するよう寸法決めすることができる。従って、ＳＳＬ素子１２２から第１範囲内で放出された光は、当該照明装置１００から直接的に出射することはできない。このことは、より狭いビームを持つ照明装置を提供することができる。このような照明装置は、例えば、幾つかのオフィス環境のように光が特定の領域又は場所においてのみ必要とされるアプリケーション等の特定のアプリケーションにおいて特に有利であり得る。
【００４６】
上記第１範囲は１００°以上とすることができる。例えば、１００°、１２０°、１４０°、１６０°、１８０°、２００°、２２０°又はそれ以上である。勿論、該第１範囲は当業者により選択された任意の他の好適な範囲とすることができる。
【００４７】
この構成は、２６０°以下のビーム角をもたらし得る。例えば、２６０°未満、２４０°未満、２２０°未満、２００°未満、１８０°未満、１６０°未満又は１４０°未満のビーム角である。限定するものでない例として、当該ビーム角は１４０°〜２６０°の範囲内とすることができる。
【００４８】
上記ビーム角は、当該放射が中心における最大放射の５０％となる２つの点を結ぶ角度として定義することができる。
【００４９】
提供されるビーム角は、当業者により精通されているように、当該照明装置が使用されるアプリケーションに応じて選択することができる。
【００５０】
担体アセンブリ１２０は、当業者により既知であり得るように、前記複数のＳＳＬ素子を支持することができる任意の構造体とするか又は斯かる構造体を有することができる。限定するものでない例として、担体アセンブリ１２０は印刷回路基板（ＰＣＢ）及びヒートシンクのうちの少なくとも一方を有することができる。例えば、担体アセンブリ１２０をＰＣＢとすることができ、又は担体アセンブリ１２０をヒートシンク上に取り付けられたＰＣＢとすることができる。ＰＣＢは固体照明素子１２２に電気を供給する便利な態様である。斯かるＰＣＢは、当業技術において通常に使用される材料のものとすることができ、当業者により既知の手順に従って製造することができる。上記ヒートシンクは、例えばアルミニウムのような金属等の、当業技術において知られている如何なる好適な熱伝導性材料のものとすることもできる。
【００５１】
担体アセンブリ１２０は、例えば、ＰＣＢ上に含まれ得るドライバ回路等の追加の部品を有することができる。ＳＳＬ素子１２２等の部品が過熱するのを防止するためにヒートシンクを用いることができる。ヒートシンクは、当業者により精通されているように、ＳＳＬ素子１２２が高光出力ＳＳＬ素子である場合に特に有利であり得る。
【００５２】
当該照明装置１００は当業者により既知の他のエレメントを更に有することができる。例えば、照明装置１００は該照明装置１００を電源に接続するための電気コネクタを有することができる。加えて又は代わりに、照明装置１００は、望まれるなら一層均一な見え方を提供するためにＳＳＬ素子１２２から放出される光を拡散させるための拡散器を有することができる。
【００５３】
当該照明装置１００は更にドライバを有することができる。該ドライバは前記担体アセンブリ１２０上に取り付けることができる。ドライバが照明装置１００の一部として供給されない場合、ドライバは照明器具の一部として又は当該照明装置１００の外部に何らかの他の方法で設けることができる。
【００５４】
当該照明装置１００は更に少なくとも１つの口金を有することができる。このような口金は、ＳＳＬ素子１２２と電源との間の電気的接続を提供することができる。例えば、斯かる口金はピン等のコネクタを有することができ、該コネクタは電源に、例えば照明器具の接続金具（fitting）等の、接続金具の電源に接続する。
【００５５】
図３は、本発明の何れかの実施態様に含まれ得る反射器１３０を示す。図３に示されるように、複数の開口１３２の各々は、規則的な形状、例えば長方形、正方形又は円形の形状を有することができる。図３に示された開口１３２は長方形である。規則的な形状の開口１３２の使用は、担体アセンブリ１２０とハウジング１１０との間の事前に分かる品質の、例えば良好な品質の取り付けをもたらす助けとなり得る。特に、当該開口を介して広がり、担体アセンブリ１２０をハウジング１１０に固定する接着剤１４０の形状及び大きさが分かり得る。更に、規則的な形状の開口１３２の使用は、反射器１３０に対する事前に分かる（例えば、相対的に大きな）構造的完全さを提供する助けとなり得る。
【００５６】
図３に示されるように、複数の開口は規則的アレイ１３４を形成することができる。このことは、担体アセンブリ１２０とハウジング１１０との間の事前に分かる品質の取り付けをもたらす助けともなり得る。更に、規則的アレイ１３４は、反射器１３０に対する事前に分かる構造的完全さをもたらす助けとなり得る。図３において、該規則的アレイ１３４は長方形開口１３２のアレイであるが、如何なる規則的な形状の開口も規則的アレイ１３４を形成することができる。
【００５７】
反射器１３０は、箔又は紙とすることができる。このような反射器１３０は特別に経済的であり得る。他の例として、反射器１３０はプラスチック材料を有することもできる。更に他の例として、反射器１３０はシート状金属を有することができる。
【００５８】
反射器１３０は、反射性コーティングを有することができる。例えば、反射器１３０は、反射性コーティングにより被覆された、反射性でないプラスチック材料を有することができる。このような反射器１３０は、当該反射器を構築するために相対的に安価なプラスチック材料を使用することができるので、特に経済的であり得る。
【００５９】
他の例として、反射器１３０は当業者により既知の如何なる他の適切な材料から形成することもできる。
【００６０】
図４及び図５は、本発明による照明装置１００の他の実施態様を示す。図４及び図５に示される実施態様は図１及び図２に示されたものと略同様であるので、差異のみが説明され、同様の符号が用いられる。
【００６１】
図４及び図５に図示された実施態様に示されるように、担体アセンブリ１２０の一部分１２４はハウジング１１０の内側表面に合致するように成形されている。例えば、上記部分１２４はハウジング１１０と合致するアーチ状表面であり得る。このことは、当該担体アセンブリ１２０がハウジング１１０の内側表面に対して特別に良好な付着を有することを可能にする。更に、このことは特に接着剤１４０の経済的な使用を可能にし得る。というのは、担体アセンブリ１２０はハウジング１１０の内側表面に合致するように成形されているので、該担体アセンブリ１２０がハウジング１１０の内側表面に合致するように成形されない場合よりも、該担体アセンブリ１２０とハウジング１１０との間の空隙を充填するために一層少ない接着剤しか使用されないからである。
【００６２】
更に、反射器１３０の少なくとも一部分をハウジング１１０の内側表面と合致するように成形することもできる。例えば、反射器１３０は、図４に示されるように、当該照明装置が組み立てられる際にハウジング１１０の内側表面及び担体アセンブリ１２０の前記部分１２４により成形することができるか、又は該反射器１３０は、図２に示されるように、組み立ての間にハウジング１１０の内側表面のみにより成形することができる。
【００６３】
更に、担体アセンブリ１２０、反射器１３０及びハウジング１１０の間の良好な付着は、ＳＳＬ素子１２２、担体アセンブリ１２０、反射器１３０及びハウジング１１０の間の良好な熱伝導度を、従って良好な熱放散をもたらすことができる。
【００６４】
本発明の実施態様は、上述した照明装置１００を組み立てる方法も提供する。図１及び図４に示されたように、該方法は、複数のＳＳＬ素子１２２を有する担体アセンブリ１２０及び複数の開口１３２を有する反射器１３０を設けるステップを有する。接着剤１４０が、担体アセンブリ１２０及び／又は反射器１３０に塗布される。次いで、図２及び図５に示されたように、担体アセンブリ１２０及び反射器１３０は、該担体アセンブリ１２０及び反射器１３０をハウジング１１０に付着させるために押し合わされる。ハウジング１１０及び担体アセンブリ１２０が押し合わされる間において、反射器１３０は担体アセンブリ１２０とハウジング１１０との間にある。反射器１３０の開口１３２もハウジング１１０と担体アセンブリ１２０との間にあり、かくして、接着剤１４０は開口１３２を介して押し出され、担体アセンブリ１２０をハウジング１１０に付着させる。
【００６５】
上述したように、照明装置１００に関して、このような方法は実行するのが特別に簡単且つ容易である。従って、該方法は費用効果的であり得る。特に、接着剤１４０を担体アセンブリ１２０及び反射器１３０に別々に塗布する必要はなく、従って、斯かる組み立てに関わる工程数を低減することができる。
【００６６】
反射器１３０は、接着剤１４０が塗布される前に、担体アセンブリ１２０上に配置することができる。このことは、接着剤が反射器及び担体アセンブリに同時に塗布されることを可能にする。何故なら、該接着剤は反射器の開口を介して担体アセンブリ１２０に塗布され得るからである。このことは、更に、当該照明装置を組み立てる方法の簡素化を可能にし、従って、特に経済的となる。
【００６７】
照明装置１００の該組み立て法は、治具を使用するステップを有することができる。例えば、担体アセンブリ１２０を、ＳＳＬ素子１２２を下方に向けて治具上に配置することができる。次いで、反射器１３０を該担体アセンブリ１２０上に配置することができる。該反射器１３０は平面状とすることができるか、代わりにハウジング１１０の形状に予備成形することができるか、又は例えば当該ハウジングの曲率より僅かに小さい曲率で部分的に予備成形することができる。次いで、接着剤１４０を担体アセンブリ１２０及び反射器１３０に塗布することができる。次いで、ハウジング１１０を担体アセンブリ１２０及び反射器１３０を囲むように配置することができる。次いで、前記治具を、担体アセンブリ１２０をハウジング１１０に押し付けるように移動させることができる。結果的に、反射器１３０は担体アセンブリ１２０とハウジング１１０との間で圧迫される。かくして、接着剤１４０は開口１３２を介して押し出され、担体アセンブリ１２０をハウジング１１０に付着させる。次いで、接着剤１４０は硬化させることができる。
【００６８】
図６に示されるように、本発明の如何なる実施態様による照明装置１００も、例えばシーリングライト照明器具、キャビネット下の照明器具用の保護枠等、例えばレンジフード等の当該照明装置が組み込まれる装置等のような、照明装置１００の保持具等の照明器具２００に都合良く含めることができる。図６は、照明器具２００のハウジング２１０内に嵌め込まれた複数の照明装置１００を有する照明器具２００を概略的に図示している。該照明器具２００は光出射窓２２０を有している。該光出射窓２２０は、１以上のレンズアレイ及び反射器等のビーム整形器を有することができる。他の例として、光出射窓２２０は、単にハウジング２１０の開口により形成することもできる。ハウジング２１０の内側表面は、照明装置１００を出射した光を反射するために反射性とすることができる。
【００６９】
図６に示されるように、照明装置１００のＳＳＬ素子１２２及び反射器は照明器具２００の光出射窓２２０に面することができる。他の例として、照明装置１００は該照明器具２００内に、ＳＳＬ素子１２２及び反射器が光出射窓から離れる方向に面するようにして取り付けることもできる。その場合、該照明器具２００のハウジング２１０の内部は反射性とすることができる。結果として、ＳＳＬ素子１２２はユーザにより直接的には見えず、このことは、例えばグレアが問題となるような特定のアプリケーションにおいて望ましものとなり得る。
【００７０】
照明装置１００を含む照明器具２００は、伝統的な蛍光又は燐光管を有する照明器具により生じられる見え方と視覚的に類似した見え方を生じることができる。例えば、照明器具２００の光出射窓２２０は、ＳＳＬ素子１２２及び／又は照明装置１００がユーザにより個別に知覚され得ないように拡散性とすることができる。
【００７１】
限定するものでない例において、照明器具２００は、例えば吊り天井に組み込まれる保護枠（armature）等の天井保護枠とすることができる。このような照明器具２００の他の例は、当業者にとり明らかであろう。
【００７２】
上述した実施態様は本発明を限定するというよりは解説するものであり、当業者であれば添付請求項の範囲から逸脱することなしに多数の代替実施態様を設計することができることに注意されたい。尚、請求項において括弧内に記載された如何なる符号も当該請求項を限定するものと見なしてはならない。また、“有する”なる文言は、請求項に記載されたもの以外の構成要素又はステップの存在を排除するものではない。また、単数形の構成要素は、複数の斯様な構成要素の存在を排除するものではない。また、本発明は幾つかの個別の構成要素を有するハードウェアにより実施化することができる。また、幾つかの手段を列挙する装置の請求項において、これら手段の幾つかは、１つの同一品目のハードウェアにより具現化することができる。また、特定の手段が相互に異なる従属請求項に記載されているという単なる事実は、これら手段の組み合わせを有利に使用することができないということを示すものでない。
【図１】
2017520898.tif 000003
【図２】
2017520898.tif 000004
【図３】
2017520898.tif 000005
【図４】
2017520898.tif 000006
【図５】
2017520898.tif 000007
【図６】
2017520898.tif 000008
【国際調査報告】
2017520898.tif 000009
2017520898.tif 000010
2017520898.tif 000011